(57)【要約】【課題】２箇所の空間に同時に陰圧を付加できる圧力調整用補助具を提供すること。【解決手段】圧力調整用補助具１は、第１管状部１０と、第１管状部１０の一端側に設けられ空気吸引装置に接続可能な第１接続部２０と、基端側が第１管状部１０の他端側に連結され先端側が分岐した分岐管状部３０と、分岐管状部３０それぞれの先端側に設けられ吸引対象物に接続可能な一対の第２接続部４０と、を備える。圧力調整用補助具１は、分岐管状部３０側から第１管状部１０側への空気の流通を可能とすると共に、第１管状部１０側から分岐管状部３０側への空気の流通を遮断する一方弁を備えることが好ましい。【選択図】図１
2011218157.tif 000002
【特許請求の範囲】
【請求項１】
第１管状部と、
前記第１管状部の一端側に設けられ空気吸引装置に接続可能な第１接続部と、
基端側が前記第１管状部の他端側に連結され先端側が分岐した分岐管状部と、
前記分岐管状部それぞれの先端側に設けられ吸引対象物に接続可能な一対の第２接続部と、を備える圧力調整用補助具。
【請求項２】
前記第１管状部と前記分岐管状部との連結部近傍に設けられ、前記分岐管状部側から前記第１管状部側への空気の流通を可能とすると共に、前記第１管状部側から前記分岐管状部側への空気の流通を遮断する一方弁を更に備える請求項１に記載の圧力調整用補助具。
【請求項３】
前記第１管状部及び前記分岐管状部は、それぞれ、可撓性を有するチューブにより構成される請求項１又は２に記載の圧力調整用補助具。
【請求項４】
前記一対の第２接続部は、前記吸引対象物における該第２接続部との連結部分に挿入可能な接続部本体と、該接続部本体の外側に配置され前記連結部分の外面に螺合又は嵌合可能なナット部と、を備える請求項１〜３のいずれかに記載の圧力調整用補助具。
【請求項５】
前記ナット部は、前記接続部本体の長手方向にスライド可能に構成される請求項４に記載の圧力調整用補助具。
【請求項６】
前記ナット部は、前記接続部本体に対して周方向に回転可能に構成される請求項４又は５に記載の圧力調整用補助具。
【発明の詳細な説明】
【技術分野】
【０００１】
本発明は、圧力調整用補助具に関する。
【背景技術】
【０００２】
本出願人は、先に、対象者から採取した血液を貯留する血液貯留部と、この血液貯留部に貯留された血液のうちの少なくとも一部の成分を収容する成分収容部と、これら血液貯留部及び成分収容部を無菌的に連結する連結部と、を備える血液成分分離収容装置を提案している（特許文献１参照）。この血液成分分離収容装置によれば、対象者から採取した血液から閉鎖系で無菌的に血清等の所定の血液成分を分離、収容できる。
【先行技術文献】
【特許文献】
【０００３】
【特許文献１】特開２００９−５０６９６号公報
【発明の概要】
【発明が解決しようとする課題】
【０００４】
以上の血液成分分離収容装置では、血液貯留部は、可撓性を有すると共に採血チューブが接続された血液貯留容器と、この血液貯留容器との間に圧力調整空間を形成するように血液貯留容器を収容する硬質の収容容器と、これら血液貯留容器及び収容容器を密閉可能なキャップと、を含んで構成される。
この血液貯留部への血液の採取は、例えば、以下の手順で行われる。
【０００５】
まず、採血チューブの経路をクランプ等により閉鎖しておく。次いで、血液貯留容器の内部空間の空気を吸引すると共に、圧力調整空間の空気を吸引する。これにより、血液貯留容器の内部空間及び圧力調整空間にそれぞれ陰圧が付加される。ここで、血液貯留容器の内部空間と圧力調整空間との間には圧力差が生じないので、血液貯留容器の内部空間に陰圧が付加されても可撓性を有する血液貯留容器は変形しない（つぶれない）。
この状態で、採血針を対象者に刺した後、採血チューブの経路を開放する。すると、血液貯留容器の内部空間の陰圧により採血針から採取された血液は、血液貯留容器側に強く吸引されて血液貯留容器に導入される。
【０００６】
以上の手順によれば、血液の採取を行う過程において、血液貯留容器がつぶれないので、血液貯留容器に採血量を示す目盛が付してある場合等に、採血量を正確に把握できる。
【０００７】
ところで、以上の手順においては、血液貯留容器の内部空間及び圧力調整空間に陰圧を付加する場合には、一端側が血液貯留容器の内部空間に連通するチューブ及び一端側が圧力調整空間に連通するチューブのそれぞれの他端側にシリンジを接続し、これらのシリンジにより血液貯留容器の内部空間の空気及び圧力調整空間の空気を吸引している。このように、２つのシリンジを用いて２箇所の空間に別個に陰圧を付加することは非常に煩雑であった。また、２つのシリンジを用いているので、２箇所の空間に同時に陰圧を付加することは困難であった。
【０００８】
従って、本発明は、２箇所の空間に同時に陰圧を付加できる圧力調整用補助具を提供することを目的とする。
【課題を解決するための手段】
【０００９】
本発明は、第１管状部と、前記第１管状部の一端側に設けられ空気吸引装置に接続可能な第１接続部と、基端側が前記第１管状部の他端側に連結され先端側が分岐した分岐管状部と、前記分岐管状部それぞれの先端側に設けられ吸引対象物に接続可能な一対の第２接続部と、を備える圧力調整用補助具に関する。
【００１０】
また、圧力調整用補助具前記第１管状部と前記分岐管状部との連結部近傍に設けられ、前記分岐管状部側から前記第１管状部側への空気の流通を可能とすると共に、前記第１管状部側から前記分岐管状部側への空気の流通を遮断する一方弁を更に備えることが好ましい。
【００１１】
また、前記第１管状部及び前記分岐管状部は、それぞれ、可撓性を有するチューブにより構成されることが好ましい。
【００１２】
また、前記一対の第２接続部は、前記吸引対象物における該第２接続部との連結部に挿入可能な接続部本体と、該接続部本体の外側に配置され前記連結部の外面に螺合又は嵌合可能なナット部と、を備えることが好ましい。
【００１３】
また、前記ナット部は、前記接続部本体の長手方向にスライド可能に構成されることが好ましい。
【００１４】
また、前記ナット部は、前記接続部本体に対して周方向に回転可能に構成されることが好ましい。
【発明の効果】
【００１５】
本発明の圧力調整用補助具によれば、２箇所の空間に同時に陰圧を付加できる。
【図面の簡単な説明】
【００１６】
【図１】本発明の圧力調整用補助具の一実施形態を示す斜視図である。
【図２】図１に示す圧力調整用補助具を示す平面図である。
【図３】図１に示す圧力調整用補助具を示す正面図である。
【図４】図３のＡ−Ａ線断面図である。
【図５】一方弁の他の形態を示す図である。
【図６】圧力調整用補助具の使用状態の一例を示す斜視図である。
【図７】圧力調整用補助具の使用状態の他の例を示す斜視図である。
【発明を実施するための形態】
【００１７】
以下、本発明の圧力調整用補助具の好ましい一実施形態について図面を参照しながら説明する。
本実施形態の圧力調整用補助具１は、例えば、シリンジのような空気吸引装置を用いて、２箇所の空間から空気を吸引して、これら２箇所の空間の圧力を調整する場合に用いられる。この圧力調整用補助具１は、図１〜図３に示すように、第１管状部１０と、第１接続部２０と、分岐管状部３０と、一対の第２接続部４０と、一方弁５０と、を備え、略Ｙ字形状に構成される。
【００１８】
第１管状部１０は、可撓性を有する所定の内径の透明チューブにより構成される。
第１接続部２０は、第１管状部１０の一端側に接続される。この第１接続部２０は、ポリエチレンやポリプロピレン等の硬質樹脂により筒状に構成された透明な部材からなる。第１接続部２０の一端側の外径は、第１管状部１０の内径と略等しく構成される。そして、第１接続部２０と第１管状部１０とは、第１接続部２０の一端側が第１管状部１０の一端側に挿入されて接続される。
【００１９】
第１接続部２０の他端側の外径及び内径は、第１接続部２０の一端側の外径及び内径よりも大きく構成される。具体的には、第１接続部２０の他端側の内径は、２ｍｍ〜５ｍｍ程度に構成されており、空気吸引装置としてのシリンジの先端側が挿入可能となっている。また、第１接続部２０の他端側の外周面には、ねじ山が形成されている。
【００２０】
分岐管状部３０は、先端側が２つに分岐している。この分岐管状部３０の基端側は、第１管状部１０の他端側に一方弁５０を介して連結される。この分岐管状部３０の先端側における分岐部分の長さは、略等しく構成される。
分岐管状部３０は、可撓性を有する所定の内径の透明チューブにより構成される。
【００２１】
一対の第２接続部４０は、それぞれ、分岐管状部３０の先端側に接続される。一対の第２接続部４０は、それぞれ、接続部本体４１と、この接続部本体４１の外周面側に配置されるナット部４２と、を備える。
【００２２】
接続部本体４１は、図４に示すように、筒状に構成される。この接続部本体４１の一端側の外径は、分岐管状部３０の先端側の内径と略等しく構成される。そして、接続部本体４１と分岐管状部３０とは、接続部本体４１の一端側が分岐管状部３０の先端側に挿入されて接続される。
接続部本体４１の他端側の外径は、接続部本体４１の一端側の外径と略等しく構成される。この接続部本体４１の他端側は、吸引対象物に設けられた接続部材（例えば、第１接続部２０と同様の構成を有する接続部材）に挿入されて、吸引対象物に接続される。
接続部本体４１の長手方向の中央部における外周面には、長手方向に所定の幅で外径が小さくなった縮径部４１１が形成されている。
【００２３】
ナット部４２は、接続部本体４１の外径よりも大きな内径を有する筒状に構成される。このナット部４２の内面には、突起部４２１及びねじ溝４２２が形成されている。突起部４２１は、ナット部４２の内面における基端側に設けられ、接続部本体４１の縮径部４１１に係合される。ねじ溝４２２は、ナット部４２の内面における先端側に設けられる。
【００２４】
以上のナット部４２は、縮径部４１１が設けられた範囲で接続部本体４１の長手方向にスライド可能となっている。また、このナット部４２は、吸引対象物に設けられた接続部材の外面にねじ山が設けられていた場合には、この接続部材のねじ山にねじ溝４２２を螺合することで、第２接続部４０と接続対象物との接続をより確実にできる。
また、ナット部４２は、接続部本体４１の縮径部４１１の外周面側に配置され、接続部本体４１に対して周方向に回転可能に取り付けられている。これにより、ナット部４２と接続対象物とを螺合により接続する際、ナット部４２が自在に回転可能となる。よって、ナット部４２を回転操作しても、接続部本体４１を含む圧力調整用補助具１が回転して捩れたりすることがなく、安全で確実な接続操作が可能になる。
接続部本体４１及びナット部４２は、いずれもポリエチレンやポリプロピレン等の硬質樹脂により透明な部材として構成される。
【００２５】
一方弁５０は、図４に示すように、第１管状部１０の他端側に接続される第１ケース５１と、分岐管状部３０の基端側に接続されると共に第１ケース５１に連結される第２ケース５２と、第１ケース５１及び第２ケース５２の内部に配置される弁体５３と、を備える。
【００２６】
第１ケース５１は、一端側が第１管状部１０に挿入される管状の第１挿入部５１１と、この第１挿入部５１１の他端側に設けられる第１連結部５１２と、を備える。
第２ケース５２は、一端側が分岐管状部３０に挿入される管状の第２挿入部５２１と、この第２挿入部５２１の他端側に設けられる第２連結部５２２と、を備える。
第１連結部５１２における第１挿入部５１１側と反対の端部側の外径は、第２連結部５２２における第２挿入部５２１側と反対の端部側の内径と略等しく構成されている。また、第１連結部５１２の外周面及び第２連結部５２２の内周面には、互いに対応した形状の凹凸が形成されており、第１連結部５１２と第２連結部５２２とは、互いに周方向に回転可能に連結される。これにより、例えば、第１接続部２０とシリンジを接続する場合に、第１接続部２０及び第１管状部１０に対して周方向に回転する力が加えられても、この周方向に回転する力が分岐管状部３０及び一対の第２接続部４０に及ぶことを防げる。よって、第１接続部２０側を回転操作したとしても、接続部本体４１を含む圧力調整用補助具１全体が回転して捩れたりすることがなく、安全で確実な接続操作が可能になる。
【００２７】
弁体５３は、ゴム等の弾性を有する部材により構成され、第１ケース５１の第１連結部５１２の内面側に配置される。この弁体５３は、一端側が第１連結部５１２の内周面に嵌合され、他端側が第１管状部１０側に向けて突出している。弁体５３における第１管状部１０側の突出端には、スリット（図示せず）が形成されている。
【００２８】
以上の一方弁５０によれば、第１接続部２０側から空気を吸引した場合には、第１管状部１０の内部において第１接続部２０側に働く吸引力により弁体５３のスリットが開口する。これにより、一対の第２接続部４０側から第１接続部２０側に向けて分岐管状部３０の内部及び第１管状部１０の内部を空気が流通する。
一方、第１接続部２０側からの空気の吸引を停止した場合には、弁体５３のスリットは閉じるため、第１接続部２０側から一対の第２接続部４０側に空気は流通しない。
【００２９】
尚、本発明における一方弁５０は、内部の空気の圧力変動により、弁が開閉可能であり、一方向にのみ空気の流通が可能な態様が好ましく、その構造は特に限定されることはなく、公知の技術が採用可能である。
本実施形態では、一方弁５０として、上述のいわゆる「ダックビル式」の弁体５３を備える弁構造を示したが、これに限らない。例えば、図５に示すような、柄部５３１Ａと、この柄部５３１Ａの一端に配置される傘部５３２Ａと、を備え、柄部５３１Ａ側から傘部５３２Ａ側にのみ空気の流通が可能な、いわゆる「アンブレラ式」の弁体５３Ａを備える一方弁５０Ａを用いてもよい。
【００３０】
次に、以上の圧力調整用補助具１の使用方法につき、図６を参照しながら説明する。図６は、圧力調整用補助具１を用いて、吸引対象物としての血液採取装置１００から空気吸引装置としてのシリンジ６０により空気を吸引して減圧を行う様子を示す斜視図である。
【００３１】
図６に示すように、吸引対象物としての血液採取装置１００は、可撓性を有すると共に採血チューブ１１０が接続された血液貯留容器７１と、この血液貯留容器７１との間に圧力調整空間を形成するように血液貯留容器７１を収容する硬質の収容容器７２と、これら血液貯留容器７１及び収容容器７２を密閉可能なキャップ７３と、を備える。キャップ７３には、血液貯留容器７１の内部空間に連通するチューブ１２０及び圧力調整空間に連通するチューブ１３０が接続されている。
【００３２】
圧力調整用補助具１は、この血液採取装置１００により対象者から血液を採取する場合に用いられる。
まず、圧力調整用補助具１の一対の第２接続部４０の一方をチューブ１２０に、他方をチューブ１３０に接続する。ここで、チューブ１２０の先端及びチューブ１３０の先端には、それぞれ、外周面にねじ山が形成された接続部材１２１、１３１が接続されており、一対の第２接続部４０は、これらの接続部材１２１、１３１を介してチューブ１２０、１３０に接続される。より具体的には、一対の第２接続部４０は、接続部本体４１を、それぞれ、接続部材１２１、１３１に挿入し、次いで、ナット部４２のねじ溝４２２を接続部材１２１、１３１のねじ山に螺合させることで、接続部材１２１、１３１に接続される。
次いで、圧力調整用補助具１の第１接続部２０に空気吸引装置としてのシリンジ６０の先端を挿入して接続する。
【００３３】
次いで、採血チューブ１１０の経路をクランプ等（図示せず）により閉鎖しておく。この状態で、シリンジ６０のピストンを引く。すると、分岐管状部３０の一方からは、チューブ１２０を介して血液貯留容器７１の内部空間の空気が吸引される。また、分岐管状部３０の他方からは、チューブ１３０を介して圧力調整空間の空気が吸引される。これにより、血液貯留容器７１の内部空間及び圧力調整空間にそれぞれ同時に陰圧が付加される。ここで、血液貯留容器の内部空間と圧力調整空間との間には圧力差が生じないので、血液貯留容器７１の内部空間に陰圧が付加されても可撓性を有する血液貯留容器７１は変形しない（つぶれない）。また、第１管状部１０と分岐管状部３０との連結部分には一方弁５０が設けられているので、シリンジ６０による空気の吸引を停止しても空気は逆流せず、血液貯留容器７１の内部空間及び圧力調整空間の減圧状態は維持される。
【００３４】
この状態で、採血チューブ１１０の先端に取り付けられた採血針（図示せず）を対象者に刺した後、採血チューブ１１０の経路を開放する。すると、血液貯留容器７１の内部空間の陰圧により採血針から採取された血液は、血液貯留容器７１側に強く吸引されて血液貯留容器に導入される。
このように、本実施形態の圧力調整用補助具１によれば、一つのシリンジ６０を用いて、２箇所の空間に同時に陰圧を付加できる。
【００３５】
以上説明した本実施形態の圧力調整用補助具１によれば、以下のような効果を奏する。
（１）圧力調整用補助具１を、第１管状部１０の一端側に設けた第１接続部２０と、分岐管状部３０の先端側に設けた一対の第２接続部４０と、を含んで構成した。これにより、一対の第２接続部４０を、それぞれ、血液貯留容器７１及び収容容器７２に接続した状態で、第１接続部２０にシリンジ６０を接続して、このシリンジ６０により空気を吸引することで、血液貯留容器７１の内部空間の空気及び圧力調整空間の空気を同時に吸引して、血液貯留容器７１の内部空間及び圧力調整空間の両方を同時に同程度減圧できる。
【００３６】
（２）第１管状部１０と分岐管状部３０との連結部分に分岐管状部３０側から第１管状部１０側にのみ空気を流通可能な一方弁５０を配置した。これにより、第１接続部２０側から一対の第２接続部４０側に空気が侵入しない。よって、血液貯留容器７１の内部空間及び圧力調整空間の減圧状態を維持できる。また、血液貯留容器７１の内部空間の無菌性を確保できる。
【００３７】
（３）第１管状部１０及び分岐管状部３０を、それぞれ、可撓性を有するチューブにより構成した。よって、圧力調整用補助具１を用いて減圧操作を行う場合に、この圧力調整用補助具１を、第１管状部１０及び分岐管状部３０の部分で変形させられるので、圧力調整用補助具１を用いた減圧操作の操作性をより向上できる。
【００３８】
（４）第２接続部４０を、接続部本体４１と、ナット部４２と、を含んで構成した。よって、第２接続部４０と血液採取装置１００との接続をより確実に行えるので、圧力調整用補助具１を用いた減圧操作の確実性を高められる。
【００３９】
（５）第１管状部１０、第１接続部２０、分岐管状部３０、及び一対の第２接続部４０を、それぞれ、透明な部材により構成した。よって、圧力調整用補助具１の内部を容易に視認できるので、圧力調整用補助具１の衛生状態を容易に管理できる。
【００４０】
以上、本発明をその好ましい実施形態に基づき説明したが、本発明は上記実施形態には制限されず、本発明の趣旨を逸脱しない限り適宜変更が可能である。
例えば、本実施形態では、第２接続部４０と吸引対象物との接続において、ナット部４２を吸引対象物の外面に螺合させたが、これに限らない。即ち、ナット部を吸引対象物の外面に嵌合させてもよい。
【００４１】
また、第２接続部４０と吸引対象物との接続方式と、第１接続部２０とシリンジ６０との接続方式のそれぞれが相違する構成としてもよい。これにより、例えば、第１接続部２０と吸引対象物とを接続不可能な構成とすることで、各接続部の誤接続が防げるので、圧力調整用補助具１を用いた減圧操作の確実性を向上できる。
尚、この誤接続を防止するための各接続部の接続方式の構成については、特に制限されることはなく、各種技術が適用可能である。具体的には、接続方式を螺合、嵌合等から適宜組み合わせてもよく、各接続部の形状や大きさ（例えば、嵌合のテーパー傾斜等）を相違させて、接続対象以外の接続部が接続できない方法を採用してもよい。
【００４２】
また、本実施形態では、圧力調整用補助具１を、吸引対象物としての血液採取装置１００に用いたが、これに限らない。即ち、圧力調整用補助具１を、図７に示すように、血液採取装置１００と同様の構成を有する血液貯留部１００Ａと、この血液貯留部１００Ａの血液貯留容器７１に無菌的に連結された成分収容容器７４を有する成分収容部１４０と、を備える血液成分分離収容装置２００に用いてもよい。
この場合、血液貯留容器７１と成分収容容器７４とは、チューブ１５０を介して接続されている。また、圧力調整用補助具１の一対の第２接続部４０のうちの一方の第２接続部４０は、成分収容容器７４に接続されたチューブ１６０に、接続部材１６１を介して接続される。そして、血液貯留容器７１の内部空間の空気は、チューブ１５０、成分収容容器７４及びチューブ１６０を介して吸引される。
【符号の説明】
【００４３】
１  圧力調整用補助具
１０  第１管状部
２０  第１接続部
３０  分岐管状部
４０  第２接続部
４１  接続部本体
４２  ナット部
５０  一方弁
５１  第１ケース
５２  第２ケース
５３  弁体
６０  シリンジ（空気吸引装置）
１００  血液採取装置（吸引対象物）
２００  血液成分分離収容装置（吸引対象物）
【図１】
2011218157.tif 000003
【図２】
2011218157.tif 000004
【図３】
2011218157.tif 000005
【図４】
2011218157.tif 000006
【図５】
2011218157.tif 000007
【図６】
2011218157.tif 000008
【図７】
2011218157.tif 000009